(57)【要約】【課題】重量増加を抑えつつ、立体感を得やすい建築板を提供する。【解決手段】表面に凹凸が形成された建築板１００である。隣り合う一対の凸状部１０３を有する。前記一対の凸状部１０３は、少なくとも一側面が下り傾斜面で形成されて該下り傾斜面が隣の凸状部１０３に一体に連接する凸状部１０３を有する。前記一対の凸状部１０３のうちの第１の凸状部１０３の一側端の内側に第２の凸状部１０３が位置する。【選択図】図１
2019044389.tif 000002
【特許請求の範囲】
【請求項１】
表面に凹凸が形成された建築板であって、
隣り合う一対の凸状部を有し、
前記一対の凸状部は、少なくとも一側面が下り傾斜面で形成されて該下り傾斜面が隣の凸状部に一体に連接する凸状部を有し、
前記一対の凸状部のうちの第１の凸状部の一側端の内側に第２の凸状部が位置する
ことを特徴とする建築板。
【請求項２】
請求項１に記載の建築板において、
前記第１の凸状部に前記下り傾斜面が形成されている
ことを特徴とする建築板。
【請求項３】
請求項２に記載の建築板において、
前記第２の凸状部は、前記第１の凸状部との連接側に段差部が設けられている
ことを特徴とする建築板。
【請求項４】
請求項１又は２に記載の建築板において、
前記一対の凸状部の境界がＶ字状の溝である
ことを特徴とする建築板。
【請求項５】
請求項２乃至４のいずれか１項に記載の建築板において、
前記第２の凸状部は、前記第１の凸状部よりも低い
ことを特徴とする建築板。
【請求項６】
請求項１乃至５のいずれか１項に記載の建築板において、
前記建築板の表面には、前記一対の凸状部のペアがランダムに配置されている
ことを特徴とする建築板。
【請求項７】
請求項６に記載の建築板において、
前記建築板は、矩形板状をなし、その表面には、複数の矩形凸状部が該建築板の長手方向に帯状に並んで構成される帯状部が、前記建築板の短手方向に複数並列して設けられており、
前記帯状部には、前記ペアが含まれている
ことを特徴とする建築板。
【発明の詳細な説明】
【技術分野】
【０００１】
本発明は、建築板に関する。詳しくは、建物の外壁材や内壁材などとして使用可能な建築板に関する。
【背景技術】
【０００２】
従来、表面に複数の凸状部を有する建築板が提案されている（例えば、特許文献１参照）。このような建築板では、複数の凸状部により表面が凹凸に形成されるため、立体感が付与され、表面が平坦な建築板よりも意匠性を向上させることができる。
【０００３】
そして、立体感が強調された建築板を得るためには、凹凸の高低差を大きく形成するようにしている。
【先行技術文献】
【特許文献】
【０００４】
【特許文献１】特開２００８−１６３６７５号公報
【発明の概要】
【発明が解決しようとする課題】
【０００５】
しかし、建築板の厚みを一定にして凹凸の高低差を大きくすると、凹の部分での建築板の厚みが薄くなり、強度が低下しやすいという問題があった。これに対し、建築板の強度を保つべく、建築板を厚くすることが考えられる。しかし、その場合、建築板の重量が増加するため、施工性等の観点から望ましくない。そこで、建築板の重量増加を抑えつつ、強度の低下が少なくて立体感を感じやすい建築板が望まれていた。
【０００６】
本発明は上記の点に鑑みてなされたものであり、重量増加を抑えつつ、立体感を得やすい建築板を提供することを目的とする。
【課題を解決するための手段】
【０００７】
本発明に係る一態様の建築板は、
表面に凹凸が形成された建築板であって、
隣り合う一対の凸状部を有し、
前記一対の凸状部は、少なくとも一側面が下り傾斜面で形成されて該下り傾斜面が隣の凸状部に一体に連接する凸状部を有し、
前記一対の凸状部のうちの第１の凸状部の一側端の内側に第２の凸状部が位置する
ことを特徴とする。
【０００８】
本発明にあっては、
前記第１の凸状部に前記下り傾斜面が形成されている
ことが好ましい。
【０００９】
本発明にあっては、
前記第２の凸状部は、前記第１の凸状部との連接側に段差部が設けられている
ことが好ましい。
【００１０】
本発明にあっては、
前記一対の凸状部の境界がＶ字状の溝である
ことが好ましい。
【００１１】
本発明にあっては、
前記第２の凸状部は、前記第１の凸状部よりも低い
ことが好ましい。
【００１２】
本発明にあっては、
前記建築板の表面には、前記一対の凸状部のペアがランダムに配置されている
ことが好ましい。
【００１３】
本発明にあっては、
前記建築板は、矩形板状をなし、その表面には、複数の矩形凸状部が該建築板の長手方向に帯状に並んで構成される帯状部が、前記建築板の短手方向に複数並列して設けられており、
前記帯状部には、前記ペアが含まれている
ことが好ましい。
【発明の効果】
【００１４】
本発明では、下り傾斜面とこれに隣接する凸状部との境界よりも、当該凸状部の側面が、深く延びている。その結果、当該側面が相対的に深く見えるため、立体感を得やすい。しかも、建築板を厚くする必要がなく、重量増加を抑えやすい。
【図面の簡単な説明】
【００１５】
【図１】図１は、本発明に係る建築板の一実施の形態を示す正面図である。
【図２】図２Ａは、連接部３を示す上面図、正面図、下面図である。図２Ｂは、連接部８を示す上面図、正面図、下面図である。
【図３】図３Ａは、連接部１３を示す上面図、正面図、下面図である。図３Ｂは、連接部９を示す上面図、正面図、下面図である。
【図４】図４Ａは、連接部１を示す上面図、正面図、下面図である。図４Ｂは、連接部４を示す上面図、正面図、下面図である。図４Ｃは、連接部６を示す上面図、正面図、下面図である。
【図５】図５Ａは、連接部１０を示す上面図、正面図、下面図である。図５Ｂは、連接部１１を示す上面図、正面図、下面図である。
【図６】図６Ａは、連接部７を示す上面図、正面図、下面図である。図６Ｂは、連接部２を示す上面図、正面図、下面図である。
【図７】図７Ａは、連接部１２を示す上面図、正面図、下面図である。図７Ｂは、連接部５を示す上面図、正面図、下面図である。
【発明を実施するための形態】
【００１６】
以下、本発明を実施するための形態を説明する。
【００１７】
＜建築板の説明＞
図１に本実施形態の建築板１００が示されている。建築板１００はセメントを主成分とする水硬性無機質材料の硬化物（窯業系基板）で形成されるが、材質が特に限定されず、例えば、木質基板、金属基板、プラスチック基板などで形成されていてもよい。
【００１８】
建築板１００は板状であって、正面視において矩形に形成されている。建築板１００の正面（表面）は凹凸に形成されている。この凹凸は、複数の帯状部１０１と、複数の凹状部１０２とを備えている。各帯状部１０１は建築板１００の長手方向に長く形成されている。各凹状部１０２も建築板１００の長手方向に長く形成されている。複数の帯状部１０１は建築板１００の短手方向に並列している。建築板１００の短手方向で隣り合う二つの帯状部１０１の間に一つの凹状部１０２が設けられている。
【００１９】
各帯状部１０１は複数の凸状部１０３を備えている。各凸状部１０３は、正面視において矩形であり、建築板１００の長手方向に長く形成されている。複数の凸状部１０３は建築板１００の長手方向に帯状に並んでおり、これにより、各帯状部１０１が形成されている。凸状部１０３の表面には、例えば、木目調、石目調などのデザインが施されていてもよい。
【００２０】
各帯状部１０１にはペアが形成されている。ペアは建築板１００の長手方向で連接する一対の（二つ）の凸状部１０３で構成されている。例えば、建築板１００の長手方向で連接する二つの凸状部３０、３１で一つのペアが構成されている。また建築板１００の長手方向で連接する二つの凸状部３１、３２で他の一つのペアが構成されている。他の連接する二つの凸状部１０３についても同様である。
【００２１】
建築板１００には複数のペアが設けられている。一枚の建築板１００において、各ペアの位置や個数はランダムに設定することが可能である。例えば、凸状部３０、３１で構成されるペアは、一枚の建築板１００において、一つだけ設けられていても良いし、複数設けられていても良いし、全ペアが凸状部３０、３１で構成されるペアであっても良い。また一枚の建築板１００に複数種のペアが設けられている場合は、各ペアが混在していても良いし、規則正しく並んでいても良い。また、一枚の建築板１００には、すべてのペアが一種で構成されていてもよい。
【００２２】
以下、各ペアについて説明する。なお、図１において、建築板１００の長手方向と平行な矢印Ｘが指す方向を右とし、矢印Ｘが指す方向と反対方向を左とする。また建築板１００の短手方向と平行な矢印Ｙが指す方向を上とし、矢印Ｙが指す方向と反対方向を下とする。
【００２３】
＜凸状部３３と凸状部３４のペア＞
図２Ａには第１の凸状部３３と第２の凸状部３４とからなるペアが示されている。
【００２４】
凸状部３３と凸状部３４は連接部３において一体に連接されている。凸状部３３の一側面である右側面３３ａが下り傾斜面で形成されている。すなわち、右側面３３ａは凸状部３３の表面３３ｂから凹状部１０２の底面１０４に至るまで左向きに下り傾斜している。
【００２５】
また右側面３３ａの一側端である上端縁３３ｃの下側に、凸状部３４の左側端の上端縁３４ｆが位置し、上端縁３４ｆの上側に位置する右側面３３ａの上端面３３１が視認される。また右側面３３ａの他の一側端である下端縁３３ｄの上側に、凸状部３４の左側端の下端縁３４ｇが位置し、下端縁３４ｇの下側に位置する右側面３３ａの下端面３３２が視認される。すなわち、右側面３３ａの上下両端縁３３ｃ、３３ｄの内側（間）に、凸状部３４の上下両端縁３４ｆ、３４ｇが位置している。
【００２６】
また凸状部３４は凸状部３３よりも低く形成されている。すなわち、凸状部３４の表面３４ｂと底面１０４との間の寸法は、凸状部３３の表面３３ｂと底面１０４との間の寸法よりも小さい。従って、凸状部３４には、凸状部３３との連接側である左側の端部に段差部３４ｈが形成されている。
【００２７】
連接部３では、右側面３３ａの上端縁３３ｃと下端縁３３ｄとが底面１０４に対して傾斜している。従って、右側面３３ａの上端縁３３ｃと下端縁３３ｄとが底面１０４に対して垂直に形成される場合に比べて、右側面３３ａの上端縁３３ｃと下端縁３３ｄとが長くなり、正面視において、凸状部３３の底面１０４からの突出量が大きく視認される。よって、建築板１００は凹凸の立体感が得やすくなる。
【００２８】
また、凸状部３３の上下端縁３３ｃ、３３ｄが両凸状部３３、３４の境界よりも凸状部３４側に延びているため、上記境界部分の上下両端部が補強される。この上下端縁３３ｃ、３３ｄにおける底面１０４から両凸状部３３、３４の境界までの高さｈは、０．３ｍｍ以上が好ましい。なお、このような上下の端縁が相手の凸状部側に延びるようなペアは、振り折れ等の観点から、建築板１００の長手方向中央部に設けられているのが好ましい。
【００２９】
＜凸状部４０と凸状部４１のペア＞
図２Ｂには第１の凸状部４０と第２の凸状部４１とからなるペアが示されている。凸状部４０と凸状部４１の底面１０４からの突出量の差は、上記凸状部３３と凸状部３４の突出量の差よりも大きくなっている。
【００３０】
凸状部４０と凸状部４１は連接部８において一体に連接されている。凸状部４０の一側面である右側面４０aが下り傾斜面で形成されている。すなわち、右側面４０ａは凸状部４０の表面４０ｂから凹状部１０２の底面１０４に至るまで左向きに下り傾斜している。
【００３１】
また右側面４０ａの一側端である上端縁４０ｃの下側に、凸状部４１の左側端の上端縁４１ｆが位置し、上端縁４１ｆの上側に位置する右側面４０ａの上端面４０１が視認される。また右側面４０ａの他の一側端である下端縁４０ｄの上側に、凸状部４１の左側端の下端縁４１ｇが位置し、下端縁４１ｇの下側に位置する右側面４０ａの下端面４０２が視認される。すなわち、右側面４０ａの上下両端縁４０ｃ、４０ｄの内側（間）に、凸状部４１の上下両端縁４１ｆ、４１ｇが位置している。
【００３２】
また凸状部４１は凸状部４０よりも低く形成されている。すなわち、凸状部４１の表面４１ｂと底面１０４との間の寸法は、凸状部４０の表面４０ｂと底面１０４との間の寸法よりも小さい。従って、凸状部４１には、凸状部４０との連接側である左側の端部に段差部４１ｈが形成されている。
【００３３】
連接部８では、右側面４０ａの上端縁４０ｃと下端縁４０ｄとが底面１０４に対して傾斜している。従って、右側面４０ａの上端縁４０ｃと下端縁４０ｄとが底面１０４に対して垂直に形成される場合に比べて、右側面４０ａの上端縁４０ｃと下端縁４０ｄとが長くなり、正面視において、凸状部４０の底面１０４からの突出量が大きく視認される。よって、建築板１００は凹凸の立体感が得やすくなる。
【００３４】
しかも、凸状部４０と凸状部４１の底面１０４からの突出量の差は、上記凸状部３３と凸状部３４の突出量の差よりも大きくなっているため、連接部８における立体感は連接部３における立体感より大きく感じられる。
【００３５】
＜凸状部４６と凸状部４７のペア＞
図３Ａには第１の凸状部４６と第２の凸状部４７とからなるペアが示されている。凸状部４６と凸状部４７の底面１０４からの突出量の差は、上記凸状部３３と凸状部３４の突出量の差及び上記凸状部４０と凸状部４１の突出量の差よりも大きくなっている。
【００３６】
凸状部４６と凸状部４７は連接部１３において一体に連接されている。凸状部４６の一側面である右側面４６ａが下り傾斜面で形成されている。すなわち、右側面４６ａは凸状部４６の表面４６ｂから凹状部１０２の底面１０４に至るまで左向きに下り傾斜している。
【００３７】
また右側面４６ａの一側端である上端縁４６ｃの下側に、凸状部４７の左側端の上端縁４７ｆが位置し、上端縁４７ｆの上側に位置する右側面４６ａの上端面４６１が視認される。また右側面４６ａの他の一側端である下端縁４６ｄの上側に、凸状部４７の左側端の下端縁４７ｇが位置し、下端縁４７ｇの下側に位置する右側面４６ａの下端面４６２が視認される。すなわち、右側面４６ａの上下両端縁４６ｃ、４６ｄの内側（間）に、凸状部４７の上下両端縁４７ｆ、４７ｇが位置している。
【００３８】
また凸状部４７は凸状部４６よりも低く形成されている。すなわち、凸状部４７の表面４７ｂと底面１０４との間の寸法は、凸状部４６の表面４６ｂと底面１０４との間の寸法よりも小さい。従って、凸状部４７には、凸状部４６との連接側である左側の端部に段差部４７ｈが形成されている。
【００３９】
連接部１３では、右側面４６ａの上端縁４６ｃと下端縁４６ｄとが底面１０４に対して傾斜している。従って、右側面４６ａの上端縁４６ｃと下端縁４６ｄとが底面１０４に対して垂直に形成される場合に比べて、右側面４６ａの上端縁４６ｃと下端縁４６ｄとが長くなり、正面視において、凸状部４６の底面１０４からの突出量が大きく視認される。よって、建築板１００は凹凸の立体感が得やすくなる。
【００４０】
しかも、凸状部４６と凸状部４７の底面１０４からの突出量の差は、上記凸状部３３と凸状部３４の突出量の差及び上記凸状部４０と凸状部４１の突出量の差よりも大きくなっているため、連接部１３における立体感は連接部３及び連接部８における立体感より大きく感じられる。
【００４１】
＜凸状部４２と凸状部４１のペア＞
図３Ｂには第１の凸状部４２と第２の凸状部４１とからなるペアが示されている。凸状部４２と凸状部４１の底面１０４からの突出量の差は、上記凸状部４０と凸状部４１の突出量の差と同じである。
【００４２】
凸状部４２と凸状部４１は連接部９において一体に連接されている。凸状部４２の一側面である左側面４２ｅが下り傾斜面で形成されている。すなわち、左側面４２ｅは凸状部４２の表面４２ｂから凹状部１０２の底面１０４に至るまで右向きに下り傾斜している。
【００４３】
また左側面４２ｅの一側端である上端縁４２ｆの下側に、凸状部４１の右側端の上端縁４１ｃが位置し、上端縁４１ｃの上側に位置する左側面４２ｅの上端面４２３が視認される。また左側面４２ｅの他の一側端である下端縁４２ｇの上側に、凸状部４１の右側端の下端縁４１ｄが位置し、下端縁４１ｄの下側に位置する左側面４２ｅの下端面４２４が視認される。すなわち、左側面４２ｅの上下両端縁４２ｆ、４２ｇの内側（間）に、凸状部４１の上下両端縁４１ｃ、４１ｄが位置している。
【００４４】
また凸状部４１は凸状部４２よりも低く形成されている。すなわち、凸状部４１の表面４１ｂと底面１０４との間の寸法は、凸状部４２の表面４２ｂと底面１０４との間の寸法よりも小さい。従って、凸状部４１には、凸状部４２との連接側である右側の端部に段差部４１ｉが形成されている。
【００４５】
連接部９では、左側面４２ｅの上端縁４６ｆと下端縁４６ｇとが底面１０４に対して傾斜している。従って、左側面４２ｅの上端縁４６ｆと下端縁４６ｇとが底面１０４に対して垂直に形成される場合に比べて、左側面４２ｅの上端縁４６ｆと下端縁４６ｇとが長くなり、正面視において、凸状部４６の底面１０４からの突出量が大きく視認される。よって、建築板１００は凹凸の立体感が得やすくなる。
【００４６】
しかも、凸状部４２と凸状部４１の底面１０４からの突出量の差は、上記凸状部３３と凸状部３４の突出量の差よりも大きくなっているため、連接部９における立体感は連接部３における立体感より大きく感じられる。
【００４７】
＜凸状部３１と凸状部３０のペア＞
図４Ａには第１の凸状部３１と第２の凸状部３０とからなるペアが示されている。凸状部３１と凸状部３０は連接部１において一体に連接されている。
【００４８】
凸状部３１の一側面である左側面３１ｅが下り傾斜面で形成されている。すなわち、左側面３１ｅは凸状部３１の表面３１ｂから凹状部１０２の底面１０４に至るまで右向きに下り傾斜している。
【００４９】
凸状部３０の一側面である右側面３０ａが下り傾斜面で形成されている。すなわち、右側面３０ａは凸状部３０の表面３０ｂから凸状部３１の左側面３１ｅに至るまで左向きに下り傾斜している。
【００５０】
また左側面３１ｅの一側端である上端縁３１ｆの下側に、凸状部３０の右側端の上端縁３０ｃが位置し、上端縁３０ｃの上側に位置する左側面３１ｅの上端面３１３が視認される。また左側面３１ｅの他の一側端である下端縁３１ｇの上側に、凸状部３０の右側端の下端縁３０ｄが位置し、下端縁３０ｄの下側に位置する左側面３１ｅの下端面３１４が視認される。すなわち、左側面３１ｅの上下両端縁３１ｆ、３１ｇの内側（間）に、凸状部３０の上下両端縁３０ｃ、３０ｄが位置している。
【００５１】
また左側面３１ｅと右側面３０ａによりＶ字状の溝が形成され、このＶ字状の溝が段差部３０ｊとして形成されている。従って、凸状部３０には、凸状部３１との連接側である右側の端部に段差部３０ｊが形成されている。
【００５２】
連接部１では、左側面３１ｅの上端縁３１ｆと下端縁３１ｇとが底面１０４に対して傾斜している。従って、左側面３１ｅの上端縁３１ｆと下端縁３１ｇとが底面１０４に対して垂直に形成される場合に比べて、左側面３１ｅの上端縁３１ｆと下端縁３１ｇとが長くなり、正面視において、凸状部３１の底面１０４からの突出量が大きく視認される。よって、建築板１００は凹凸の立体感が得やすくなる。
【００５３】
また、凸状部３１の上下端縁３１ｆ、３１ｇが両凸状部３０、３１の境界（Ｖ字状の溝の底）よりも凸状部３０側に延びているため、上記境界部分の上下両端部が補強される。この上下端縁３１ｆ、３１ｇにおける底面１０４から両凸状部３０、３１の境界までの高さｈは、０．３ｍｍ以上が好ましい。なお、このような上下の端縁が相手の凸状部側に延びるようなペアは、振り折れ等の観点から、建築板１００の長手方向中央部に設けられているのが好ましい。
【００５４】
＜凸状部３５と凸状部３４のペア＞
図４Ｂには第１の凸状部３５と第２の凸状部３４とからなるペアが示されている。凸状部３５と凸状部３４は連接部４において一体に連接されている。凸状部３５と凸状部３４の底面１０４からの突出量の差は、上記凸状部３１と凸状部３０の突出量の差よりも大きくなっている。
【００５５】
凸状部３５の一側面である左側面３５ｅが下り傾斜面で形成されている。すなわち、左側面３５ｅは凸状部３５の表面３５ｂから凹状部１０２の底面１０４に至るまで右向きに下り傾斜している。
【００５６】
凸状部３４の一側面である右側面３４ａが下り傾斜面で形成されている。すなわち、右側面３４ａは凸状部３４の表面３４ｂから凸状部３５の左側面３５ｅに至るまで左向きに下り傾斜している。
【００５７】
また左側面３５ｅの一側端である上端縁３５ｆの下側に、凸状部３４の右側端の上端縁３４ｃが位置し、上端縁３４ｃの上側に位置する左側面３５ｅの上端面３５３が視認される。また左側面３５ｅの他の一側端である下端縁３５ｇの上側に、凸状部３４の右側端の下端縁３４ｄが位置し、下端縁３４ｄの下側に位置する左側面３５ｅの下端面３５４が視認される。すなわち、左側面３５ｅの上下両端縁３５ｆ、３５ｇの内側（間）に、凸状部３４の上下両端縁３４ｃ、３４ｄが位置している。
【００５８】
また左側面３５ｅと右側面３４ａによりＶ字状の溝が形成され、このＶ字状の溝が段差部３４ｊとして形成されている。従って、凸状部３４には、凸状部３５との連接側である右側の端部に段差部３４ｊが形成されている。
【００５９】
連接部４では、左側面３５ｅの上端縁３５ｆと下端縁３５ｇとが底面１０４に対して傾斜している。従って、左側面３５ｅの上端縁３５ｆと下端縁３５ｇとが底面１０４に対して垂直に形成される場合に比べて、左側面３５ｅの上端縁３５ｆと下端縁３５ｇとが長くなり、正面視において、凸状部３５の底面１０４からの突出量が大きく視認される。よって、建築板１００は凹凸の立体感が得やすくなる。
【００６０】
＜凸状部３８と凸状部３７のペア＞
図４Ｃには第１の凸状部３８と第２の凸状部３７とからなるペアが示されている。凸状部３８と凸状部３７は連接部６において一体に連接されている。凸状部３８と凸状部３７の底面１０４からの突出量の差は、上記凸状部３１と凸状部３０の突出量の差と同じである。
【００６１】
凸状部３８の一側面である左側面３８ｅが下り傾斜面で形成されている。すなわち、凸状部３８の上端において、左側面３８ｅは凸状部３８の表面３８ｂから凹状部１０２の底面１０４に至るまで左向きに下り傾斜している。
【００６２】
凸状部３７の一側面である右側面３７ａが下り傾斜面で形成されている。すなわち、凸状部３７の下端において、右側面３７ａは凸状部３７の表面３７ｂから凹状部１０２の底面１０４に至るまで右向きに下り傾斜している。
【００６３】
また左側面３８ｅの一側端である上端縁３８ｆの下側に、凸状部３７の右側端の上端縁３７ｃが位置し、上端縁３７ｃの上側に位置する左側面３８ｅの上端面３８３が視認される。また右側面３７ａの一側端である下端縁３７ｄの上側に、凸状部３８の左側端の下端縁３８ｇが位置し、下端縁３８ｇの下側に位置する右側面３７ａの下端面３７２が視認される。すなわち、左側面３８ｅの上端縁３８ｆの内側に、凸状部３７の上端縁３７ｃが位置している。
【００６４】
また左側面３８ｅと右側面３７ａによりＶ字状の溝が形成され、このＶ字状の溝が段差部３７ｉとして形成されている。従って、凸状部３７には、凸状部３８との連接側である右側の端部に段差部３７ｉが形成されている。
【００６５】
連接部６では、左側面３８ｅの上端縁３８ｆが底面１０４に対して傾斜している。従って、左側面３８ｅの上端縁３８ｆが底面１０４に対して垂直に形成される場合に比べて、左側面３８ｅの上端縁３８ｆが長くなり、正面視において、凸状部３８の底面１０４からの突出量が大きく視認される。よって、建築板１００は凹凸の立体感が得やすくなる。
【００６６】
また連接部６では、右側面３７ａの下端縁３７ｄが底面１０４に対して傾斜している。従って、右側面３７ａの下端縁３７ｄが底面１０４に対して垂直に形成される場合に比べて、右側面３７ａの下端縁３７ｄが長くなり、正面視において、凸状部３７の底面１０４からの突出量が大きく視認される。よって、建築板１００は凹凸の立体感が得やすくなる。
【００６７】
＜凸状部４３と凸状部４２のペア＞
図５Ａには第１の凸状部４３と第２の凸状部４２とからなるペアが示されている。凸状部４３と凸状部４２は連接部１０において一体に連接されている。凸状部４３は上記凸状部３１と同様に形成されている。凸状部４２は上記凸状部３０と同様に形成されている。また連接部１０は上記連接部１と同様に形成されている。
【００６８】
凸状部４３の一側面である左側面４３ｅが下り傾斜面で形成されている。すなわち、左側面４３ｅは凸状部４３の表面４３ｂから凹状部１０２の底面１０４に至るまで左向きに下り傾斜している。
【００６９】
凸状部４２の一側面である右側面４２ａが下り傾斜面で形成されている。すなわち、右側面４２ａは凸状部４２の表面４２ｂから凸状部４３の左側面４３ｅに至るまで右向きに下り傾斜している。
【００７０】
また左側面４３ｅの一側端である上端縁４３ｆの下側に、凸状部４２の右側端の上端縁４２ｃが位置し、上端縁４２ｃの上側に位置する左側面４３ｅの上端面４３３が視認される。また左側面４３ｅの他の一側端である下端縁４３ｇの上側に、凸状部４２の右側端の下端縁４２ｄが位置し、下端縁４２ｄの下側に位置する左側面４３ｅの下端面４３４が視認される。すなわち、左側面４３ｅの上下両端縁４３ｆ、４３ｇの内側（間）に、凸状部４２の上下両端縁４２ｃ、４２ｄが位置している。
【００７１】
また左側面４３ｅと右側面４２ａによりＶ字状の溝が形成され、このＶ字状の溝が段差部４２ｊとして形成されている。従って、凸状部４２には、凸状部４３との連接側である右側の端部に段差部４２ｊが形成されている。
【００７２】
連接部１０では、左側面４３ｅの上端縁４３ｆと下端縁４３ｇとが底面１０４に対して傾斜している。従って、左側面４３ｅの上端縁４３ｆと下端縁４３ｇとが底面１０４に対して垂直に形成される場合に比べて、左側面４３ｅの上端縁４３ｆと下端縁４３ｇとが長くなり、正面視において、凸状部４３の底面１０４からの突出量が大きく視認される。よって、建築板１００は凹凸の立体感が得やすくなる。
【００７３】
＜凸状部４５と凸状部４４のペア＞
図５Ｂには第１の凸状部４５と第２の凸状部４４とからなるペアが示されている。凸状部４５と凸状部４４は連接部１１において一体に連接されている。凸状部４５と凸状部４４の底面１０４からの突出量の差は、上記凸状部３１と凸状部３０の突出量の差と同じである。
【００７４】
凸状部４５の一側面である左側面４５ｅが下り傾斜面で形成されている。すなわち、左側面４５ｅは凸状部４５の表面４５ｂから凹状部１０２の底面１０４に至るまで左向きに下り傾斜している。
【００７５】
凸状部４４の一側面である右側面４４ａが下り傾斜面で形成されている。すなわち、右側面４４ａは凸状部４４の表面４４ｂから凹状部１０２の底面１０４に至るまで右向きに下り傾斜している。
【００７６】
また右側面４４ａの一側端である上端縁４４ｃの下側に、凸状部４５の左側端の上端縁４５ｆが位置し、上端縁４５ｆの上側に位置する右側面４４ａの上端面４４１が視認される。また左側面４５ｅの一側端である下端縁４５ｇの上側に、凸状部４４の右側端の下端縁４４ｄが位置し、下端縁４４ｄの下側に位置する左側面４５ｅの下端面４５４が視認される。すなわち、左側面４５ｅの下端縁４５ｇの内側に、凸状部４４の下端縁４４ｄが位置している。
【００７７】
また左側面４５ｅと右側面４４ａによりＶ字状の溝が形成され、このＶ字状の溝が段差部４４ｊとして形成されている。従って、凸状部４４には、凸状部４５との連接側である右側の端部に段差部４４ｊが形成されている。
【００７８】
連接部１１では、右側面４４ａの上端縁４４ｃが底面１０４に対して傾斜している。従って、右側面４４ａの上端縁４４ｃが底面１０４に対して垂直に形成される場合に比べて、右側面４４ａの上端縁４４ｃが長くなり、正面視において、凸状部４４の底面１０４からの突出量が大きく視認される。よって、建築板１００は凹凸の立体感が得やすくなる。
【００７９】
また連接部１１では、左側面４５ｅの下端縁４５ｇが底面１０４に対して傾斜している。従って、左側面４５ｅの下端縁４５ｇが底面１０４に対して垂直に形成される場合に比べて、左側面４５ｅの下端縁４５ｇが長くなり、正面視において、凸状部４５の底面１０４からの突出量が大きく視認される。よって、建築板１００は凹凸の立体感が得やすくなる。
【００８０】
＜凸状部３８と凸状部３９のペア＞
図６Ａには第１の凸状部３８と第２の凸状部３９とからなるペアが示されている。凸状部３８と凸状部３９は連接部７において一体に連接されている。
【００８１】
凸状部３８の一側面である右側面３８ａが下り傾斜面で形成されている。すなわち、右側面３８ａは凸状部３８の表面３８ｂから凹状部１０２の底面１０４に至るまで右向きに下り傾斜している。
【００８２】
凸状部３９の一側面である左側面３９ｅが下り傾斜面で形成されている。すなわち、左側面３９ｅは凸状部３９の表面３９ｂから凹状部１０２の底面１０４に至るまで左向きに下り傾斜している。
【００８３】
また右側面３８ａと左側面３９ｅとにより箱目地状の溝が形成され、この箱目地状の溝が段差部３９ｈとして形成されている。従って、凸状部３９には、凸状部３８との連接側である左側の端部に段差部３９ｈが形成されている。
【００８４】
また右側面３８ａの一側端である上端縁３８ｃの下側に、段差部３９ｈの上端縁３９ｊが位置し、上端縁３９ｊの上側に位置する右側面３８ａの上端面３８１が視認される。また右側面３８ａの他の一側端である下端縁３８ｄの上側に、段差部３９ｈの下端縁３９ｋが位置し、下端縁３９ｋの下側に位置する右側面３８ａの下端面３８２が視認される。すなわち、右側面３８ａの上下両端縁３８ｃ、３８ｄの内側（間）に、段差部３９ｈの上端縁３９ｊと下端縁３９ｋが位置している。
【００８５】
また左側面３９ｅの一側端である上端縁３９ｆの下側に、段差部３９ｈの上端縁３９ｊが位置し、上端縁３９ｊの上側に位置する左側面３９ｅの上端面３９３が視認される。また左側面３９ｅの他の一側端である下端縁３９ｇの上側に、段差部３９ｈの下端縁３９ｋが位置し、下端縁３９ｋの下側に位置する左側面３９ｅの下端面３９４が視認される。すなわち、左側面３９ｅの上下両端縁３９ｆ、３９ｇの内側（間）に、段差部３９ｈの上端縁３９ｊと下端縁３９ｋが位置している。
【００８６】
連接部７では、右側面３８ａの上端縁３８ｃと下端縁３８ｄとが底面１０４に対して傾斜している。従って、右側面３８ａの上端縁３８ｃと下端縁３８ｄとが底面１０４に対して垂直に形成される場合に比べて、右側面３８ａの上端縁３８ｃと下端縁３８ｄとが長くなり、正面視において、凸状部３８の底面１０４からの突出量が大きく視認される。よって、建築板１００は凹凸の立体感が得やすくなる。
【００８７】
また連接部７では、左側面３９ｅの上端縁３９ｆと下端縁３９ｇとが底面１０４に対して傾斜している。従って、左側面３９ｅの上端縁３９ｆと下端縁３９ｇとが底面１０４に対して垂直に形成される場合に比べて、左側面３９ｅの上端縁３９ｆと下端縁３９ｇとが長くなり、正面視において、凸状部３９の底面１０４からの突出量が大きく視認される。よって、建築板１００は凹凸の立体感が得やすくなる。
【００８８】
また、凸状部３８の上下端縁３８ｃ、３８ｄ及び凸状部３９の上下端縁３９ｆ、３９ｇが段差部３９ｈの上面よりも相手の凸状部側に延びているため、両凸状部３８、３９の境界部が補強される。この上下端縁３８ｃ、３８ｄ、３９ｆ、３９ｇにおける底面１０４から段差部３９ｈの上面（上端縁３９ｊ又は下端縁３９ｋの位置）までの高さｈは、０．３ｍｍ以上が好ましい。なお、このような上下の端縁が相手の凸状部側に延びるようなペアは、振り折れ等の観点から、建築板１００の長手方向中央部に設けられているのが好ましい。
【００８９】
＜凸状部３１と凸状部３２のペア＞
図６Ｂには第１の凸状部３１と第２の凸状部３２とからなるペアが示されている。凸状部３１と凸状部３２は連接部２において一体に連接されている。
【００９０】
凸状部３１の一側面である右側面３１ａが下り傾斜面で形成されている。すなわち、右側面３１ａは凸状部３１の表面３１ｂから凹状部１０２の底面１０４に至るまで右向きに下り傾斜している。
【００９１】
凸状部３２の一側面である左側面３２ｅが下り傾斜面で形成されている。すなわち、凸状部３２の下端において、左側面３２ｅは凸状部３２の表面３２ｂから凹状部１０２の底面１０４に至るまで左向きに下り傾斜している。
【００９２】
また右側面３１ａと左側面３２ｅとにより箱目地状の溝が形成され、この箱目地状の溝が段差部３２ｈとして形成されている。従って、凸状部３２には、凸状部３１との連接側である左側の端部に段差部３２ｈが形成されている。凸状部３２の上端において、左側面３２ｅは凸状部３２の表面３２ｂから段差部３２ｈの上端縁３２ｊに至るまで左向きに下り傾斜している。
【００９３】
また右側面３１ａの一側端である上端縁３１ｃの下側に、段差部３２ｈの上端縁３２ｊと左側面３２ｅの上端縁３２ｆとが位置し、上端縁３２ｊの上側に位置する右側面３１ａの上端面３１１が視認される。また右側面３１ａの他の一側端である下端縁３１ｄの上側に、段差部３２ｈの下端縁３２ｋが位置し、下端縁３２ｋの下側に位置する右側面３１ａの下端面３１２が視認される。すなわち、右側面３１ａの上下両端縁３１ｃ、３１ｄの内側（間）に、段差部３２ｈの上端縁３２ｊと下側端３２ｋが位置している。
【００９４】
また左側面３２ｅの一側端である上端縁３２ｆと同じ位置に、段差部３２ｈの上側端３２ｊが位置している。また左側面３２ｅの他の一側端である下端縁３２ｇの上側に、段差部３２ｈの下端縁３２ｋが位置し、下端縁３２ｋの下側に位置する左側面３２ｅの下端面３２４が視認される。すなわち、左側面３２ｅの下端縁３２ｇの内側に、段差部３２ｈの下端縁３２ｋが位置している。
【００９５】
連接部２では、右側面３１ａの上端縁３１ｃと下端縁３１ｄとが底面１０４に対して傾斜している。従って、右側面３１ａの上端縁３１ｃと下端縁３１ｄとが底面１０４に対して垂直に形成される場合に比べて、右側面３１ａの上端縁３１ｃと下端縁３１ｄとが長くなり、正面視において、凸状部３１の底面１０４からの突出量が大きく視認される。よって、建築板１００は凹凸の立体感が得やすくなる。
【００９６】
また連接部２では、左側面３２ｅの下端縁３９ｇが底面１０４に対して傾斜している。従って、左側面３２ｅの下端縁３２ｇが底面１０４に対して垂直に形成される場合に比べて、左側面３２ｅの下端縁３２ｇが長くなり、正面視において、凸状部３２の底面１０４からの突出量が大きく視認される。よって、建築板１００は凹凸の立体感が得やすくなる。
【００９７】
＜凸状部４５と凸状部４６のペア＞
図７Ａには第１の凸状部４５と第２の凸状部４６とからなるペアが示されている。凸状部４５と凸状部４６は連接部１２において一体に連接されている。連接部１２における短手方向の寸法は連接部２の短手方向の寸法より大きいが、連接部１２は連接部２と同様の構造を有する。
【００９８】
凸状部４５の一側面である右側面４５ａが下り傾斜面で形成されている。すなわち、右側面４５ａは凸状部４５の表面４５ｂから凹状部１０２の底面１０４に至るまで右向きに下り傾斜している。
【００９９】
凸状部４６の一側面である左側面４６ｅが下り傾斜面で形成されている。すなわち、凸状部４６の下端において、左側面４６ｅは凸状部４６の表面４６ｂから凹状部１０２の底面１０４に至るまで左向きに下り傾斜している。
【０１００】
また右側面４５ａと左側面４６ｅとにより箱目地状の溝が形成され、この箱目地状の溝が段差部４６ｈとして形成されている。従って、凸状部４６には、凸状部４５との連接側である左側の端部に段差部４６ｈが形成されている。凸状部４６の上端において、左側面４６ｅは凸状部４６の表面４６ｂから段差部４６ｈの上端縁４６ｊに至るまで左向きに下り傾斜している。
【０１０１】
また右側面４５ａの一側端である上端縁４５ｃの下側に、段差部４６ｈの上端縁４６ｊと左側面４６ｅの上端縁４６ｆとが位置し、上端縁４６ｊの上側に位置する右側面４５ａの上端面４５１が視認される。また右側面４５ａの他の一側端である下端縁４５ｄの上側に、段差部４６ｈの下側端４６ｋが位置し、下端縁４６ｋの下側に位置する右側面４５ａの下端面４５２が視認される。すなわち、右側面４５ａの上下両端縁４５ｃ、４５ｄの内側（間）に、段差部４６ｈの上端縁４６ｊと下側端４６ｋが位置している。
【０１０２】
また左側面４６ｅの一側端である上端縁４６ｆと同じ位置に、段差部４６ｈの上端縁４６ｊが位置している。また左側面４６ｅの他の一側端である下端縁４６ｇの上側に、段差部４６ｈの下側端４６ｋが位置し、下端縁４６ｋの下側に位置する左側面４６ｅの下端面４６４が視認される。すなわち、左側面４６ｅの下端縁４６ｇの内側に、段差部４６ｈの下側端４６ｋが位置している。
【０１０３】
連接部１２では、右側面４５ａの上端縁４５ｃと下端縁４５ｄとが底面１０４に対して傾斜している。従って、右側面４５ａの上端縁４５ｃと下端縁４５ｄとが底面１０４に対して垂直に形成される場合に比べて、右側面４５ａの上端縁４５ｃと下端縁４５ｄとが長くなり、正面視において、凸状部４５の底面１０４からの突出量が大きく視認される。よって、建築板１００は凹凸の立体感が得やすくなる。
【０１０４】
また連接部１２では、左側面４６ｅの下端縁４６ｇが底面１０４に対して傾斜している。従って、左側面４６ｅの下端縁４６ｇが底面１０４に対して垂直に形成される場合に比べて、左側面４６ｅの下端縁４６ｇが長くなり、正面視において、凸状部４６の底面１０４からの突出量が大きく視認される。よって、建築板１００は凹凸の立体感が得やすくなる。
【０１０５】
＜凸状部３６と凸状部３７のペア＞
図７Ｂには第１の凸状部３６と第２の凸状部３７とからなるペアが示されている。凸状部３６と凸状部３７は連接部５において一体に連接されている。
【０１０６】
凸状部３６の一側面である右側面３６ａが下り傾斜面で形成されている。すなわち、凸状部３６の上端において、右側面３６ａは凸状部３６の表面３６ｂから凹状部１０２の底面１０４に至るまで右向きに下り傾斜している。
【０１０７】
凸状部３７の一側面である左側面３７ｅが下り傾斜面で形成されている。すなわち、凸状部３７の下端において、左側面３７ｅは凸状部３７の表面３７ｂから凹状部１０２の底面１０４に至るまで左向きに下り傾斜している。
【０１０８】
また右側面３６ａと左側面３７ｅとにより箱目地状の溝が形成され、この箱目地状の溝が段差部３７ｈとして形成されている。従って、凸状部３７には、凸状部３６との連接側である左側の端部に段差部３７ｈが形成されている。凸状部３６の下端において、右側面３６ａは凸状部３６の表面３６ｂから段差部３７ｈの下端縁３７ｋに至るまで右向きに下り傾斜している。また凸状部３７の上端において、左側面３７ｅは凸状部３７の表面３７ｂから段差部３７ｈの上端縁３７ｊに至るまで左向きに下り傾斜している。
【０１０９】
また右側面３６ａの一側端である上端縁３６ｃの下側に、段差部３７ｈの上端縁３７ｊと左側面３７ｅの上端縁３７ｆとが位置し、上端縁３７ｊの上側に位置する右側面３６ａの上端面３６１が視認される。すなわち、右側面３６ａの上端縁３６ｃの内側に、段差部３７ｈの上端縁３７ｊが位置している。
【０１１０】
また左側面３７ｅの他の一側端である下端縁３７ｇの上側に、段差部３７ｈの下端縁３７ｋが位置し、下端縁３７ｋの下側に位置する左側面３７ｅの下端面３７４が視認される。すなわち、左側面３７ｅの下端縁３７ｇの内側に、段差部３７ｈの下端縁３７ｋが位置している。
【０１１１】
連接部５では、右側面３６ａの上端縁３６ｃが底面１０４に対して傾斜している。従って、右側面３６ａの上端縁３６ｃが底面１０４に対して垂直に形成される場合に比べて、右側面３６ａの上端縁３６ｃが長くなり、正面視において、凸状部３６の底面１０４からの突出量が大きく視認される。よって、建築板１００は凹凸の立体感が得やすくなる。
【０１１２】
また連接部５では、左側面３７ｅの下端縁３７ｇが底面１０４に対して傾斜している。従って、左側面３７ｅの下端縁３７ｇが底面１０４に対して垂直に形成される場合に比べて、左側面３７ｅの下端縁３７ｇが長くなり、正面視において、凸状部３７の底面１０４からの突出量が大きく視認される。よって、建築板１００は凹凸の立体感が得やすくなる。
【符号の説明】
【０１１３】
１００  建築板
１０１  帯状部
１０３  凸状部
【図１】
2019044389.tif 000003
【図２】
2019044389.tif 000004
【図３】
2019044389.tif 000005
【図４】
2019044389.tif 000006
【図５】
2019044389.tif 000007
【図６】
2019044389.tif 000008
【図７】
2019044389.tif 000009